(57)【要約】【課題】忘れ物等の遺失物を探索するとき効率よく探索でき、発見される確率を向上させた遺失物探索システムを提供する。【解決手段】タグ識別情報を含む無線タグ情報を記憶する無線タグ１１と、無線タグ情報と依頼探索エリア情報とを依頼探索情報として登録し、依頼探索情報に基づき遺失物情報を発行する遺失物管理サーバ装置３０と、無線タグ情報を受信する機能、および自己の位置を測位する機能を有し、遺失物情報に基づき無線タグ１１の位置探索を行なう複数の携帯端末装置５０とを備え、遺失物管理サーバ装置３０は、遺失物情報を、登録された依頼探索エリア情報に基づいて発行する。【選択図】  図１
2005003627.tif 000002
【特許請求の範囲】
【請求項１】
タグ識別情報を含む無線タグ情報を記憶するとともに、読み出し信号に応じて、前記無線タグ情報を含む応答信号を送信する無線タグと、
前記無線タグが存在する位置の探索を依頼する端末装置と、
前記端末装置からの探索依頼を受け付け、前記受け付けた探索依頼に関する情報を依頼探索情報として登録し、前記登録した依頼探索情報に基づき、遺失物に関する情報として遺失物情報を発行する遺失物管理サーバ装置と、
前記無線タグからの前記無線タグ情報を含む応答信号を受信する機能、および自己の位置を測位する機能を有し、前記遺失物情報に基づき、前記依頼された無線タグが存在する位置の探索を行なう複数の移動体通信装置とを備え、
前記移動体通信装置は、前記依頼された無線タグの存在を検知したとき、前記遺失物管理サーバ装置に対して、少なくとも前記依頼された無線タグの存在を検知した位置の情報である検知位置情報を通知し、
前記遺失物管理サーバ装置は、前記端末装置に対して、前記検知位置情報を通知する遺失物探索システムであって、
前記遺失物管理サーバ装置は、前記依頼探索情報として、探索依頼された無線タグの持つ無線タグ情報と探索依頼された領域を示す依頼探索エリア情報とを少なくとも登録し、前記登録した依頼探索情報に基づく遺失物情報を、前記登録された依頼探索エリア情報に基づいて発行することを特徴とする遺失物探索システム。
【請求項２】
前記遺失物情報は、前記登録した無線タグ情報に含まれるタグ識別情報を少なくとも含めた遺失物情報であることを特徴とする請求項１記載の遺失物探索システム。
【請求項３】
前記遺失物情報は、前記登録した無線タグ情報に含まれるタグ識別情報および前記登録した依頼探索エリア情報を、少なくとも含めた遺失物情報であることを特徴とする請求項１記載の遺失物探索システム。
【請求項４】
前記遺失物管理サーバ装置は、
前記依頼探索情報に含まれる無線タグ情報と依頼探索エリア情報とを関連づけて記憶する依頼探索情報データベースと、
前記移動体通信装置から、探索を希望する探索希望要求とともに探索を希望する領域を示した希望探索エリア情報を受け付け、前記依頼探索情報データベースに記憶した依頼探索情報に基づく前記遺失物情報を、前記探索希望要求した移動体通信装置に通知する遺失物通知手段と、
前記依頼探索情報データベースから、前記希望探索エリア情報と前記依頼探索エリア情報とが示す領域が全部または一部で合致するエリア指定された依頼探索情報を、抽出するエリア選択手段とを備え、
前記遺失物通知手段は、前記エリア選択手段により抽出されたエリア指定の依頼探索情報に基づき前記遺失物情報を生成し、前記生成した遺失物情報を、前記探索希望要求した移動体通信装置に通知することを特徴とする請求項２または請求項３に記載の遺失物探索システム。
【請求項５】
前記移動体通信装置は、前記遺失物管理サーバ装置に対し、探索を希望する前記探索希望要求とともに探索を希望する領域を示した前記希望探索エリア情報を通知し、前記遺失物管理サーバ装置から、前記依頼探索情報データベースに記憶した依頼探索情報に基づく前記遺失物情報を受け取ることを特徴とする請求項４記載の遺失物探索システム。
【請求項６】
前記移動体通信装置は、測位した自己の位置に基づく現在位置情報と前記希望探索エリア情報とを参照して、前記現在位置情報が示す位置が、前記希望探索エリア情報が示す領域から外れたとき、前記依頼された無線タグの存在する位置の探索を停止することを特徴とする請求項５記載の遺失物探索システム。
【請求項７】
前記移動体通信装置は、測位した自己の位置に基づく現在位置情報と前記希望探索エリア情報とを参照して、前記現在位置情報が示す位置が、前記希望探索エリア情報が示す領域から外れたとき、前記希望探索エリア情報が示す領域から外れたことを、前記移動体通信装置の利用者に通報する機能を有したことを特徴とする請求項５記載の遺失物探索システム。
【請求項８】
前記遺失物管理サーバ装置は、
前記依頼探索情報に含まれる無線タグ情報と依頼探索エリア情報とを関連づけて記憶する依頼探索情報データベースと、
複数の移動体通信装置に対して、探索の依頼を行なう探索依頼要求とともに、前記依頼探索情報データベースに記憶した依頼探索情報に基づく遺失物情報を、発行する遺失物探索依頼手段とを備えたことを特徴とする請求項２または請求項３に記載の遺失物探索システム。
【請求項９】
前記移動体通信装置は、測位した自己の位置に基づき、前記遺失物情報に含まれる依頼探索エリア情報を参照して、前記遺失物情報を選択的に受け取ることを特徴とする請求項８記載の遺失物探索システム。
【請求項１０】
前記遺失物管理サーバ装置は、
前記依頼探索情報に含まれる無線タグ情報と依頼探索エリア情報とを関連づけて記憶する依頼探索情報データベースと、
複数の移動体通信装置に対して、探索の依頼を行なう探索依頼要求とともに、前記移動体通信装置から、前記移動体通信装置が測位した位置情報を受け取り、前記依頼探索情報データベースから、前記受け取った位置情報の示す位置が前記依頼探索エリア情報の示す領域に含まれる依頼探索情報を抽出し、前記抽出した依頼探索情報に基づいて前記遺失物情報を生成し、前記生成した遺失物情報を、発行する遺失物探索依頼手段とを備えたことを特徴とする請求項２または請求項３に記載の遺失物探索システム。
【請求項１１】
前記無線タグ情報は、少なくとも、前記無線タグ個々を識別するための前記タグ識別情報と、前記無線タグを所有する所有者を識別するための個人識別情報と、前記無線タグを発行し管理する管理者を識別するための管理センタ識別情報とにより構成されることを特徴とする請求項１から請求項１０までのいずれか一項に記載の遺失物探索システム。
【請求項１２】
前記無線タグ情報は、少なくとも、前記無線タグ個々を識別するための前記タグ識別情報と、前記無線タグを所有する所有者を識別するための個人識別情報と、前記無線タグを発行し管理する管理者を識別するための管理センタ識別情報と、前記無線タグの利用状況を示す利用フラグと、により構成され、
前記無線タグは、
前記無線タグを取り付けた物品が前記物品の利用者により利用されたことを認識し、利用されたことを認識したとき、前記利用フラグをセット状態にする利用認識手段と、
前記利用フラグがセット状態になったときから、所定の経過時間を計測し、前記所定の経過時間を経過したとき、前記利用フラグをリセット状態にするタイマ手段と、
を備えたことを特徴とする請求項１から請求項１０までのいずれか一項に記載の遺失物探索システム。
【請求項１３】
前記無線タグ情報は、少なくとも、前記無線タグ個々を識別するための前記タグ識別情報と、前記無線タグを所有する所有者を識別するための個人識別情報と、前記無線タグを発行し管理する管理者を識別するための管理センタ識別情報と、前記無線タグの利用状況を示す利用フラグと、により構成され、
前記無線タグは、
前記無線タグを取り付けた物品の利用時間帯を設定する利用時間帯設定手段と、
前記無線タグを取り付けた物品が前記物品の利用者により利用されたことを認識し、前記利用時間帯設定手段により設定された利用時間帯に利用されたことを認識したとき、前記利用フラグをセット状態にする利用認識手段と、
前記利用フラグがセット状態になったときから、所定の経過時間を計測し、前記所定の経過時間を経過したとき、前記利用フラグをリセット状態にするタイマ手段と、
を備えたことを特徴とする請求項１から請求項１０までのいずれか一項に記載の遺失物探索システム。
【請求項１４】
前記利用認識手段は、外部から利用フラグを設定する利用フラグ設定信号に応じて、前記利用フラグをセット状態にすることを特徴とする請求項１２または請求項１３に記載の遺失物探索システム。
【請求項１５】
前記移動体通信装置は、前記依頼された無線タグの存在を検知し、さらに前記利用フラグがリセット状態であることを確認したとき、前記遺失物管理サーバ装置に対して、少なくとも前記依頼された無線タグの存在を検知した位置の情報である検知位置情報を通知することを特徴とする請求項１２から請求項１４までのいずれか一項に記載の遺失物探索システム。
【発明の詳細な説明】
【０００１】
【発明の属する技術分野】
本発明は、忘れ物などの遺失物を探索するシステムに関し、特に、無線タグと移動体通信装置を利用して、無線タグを取り付けた遺失物を探索する遺失物探索システムに関する。
【０００２】
【従来の技術】
昨今、ＩＣタグ、電子タグ、あるいは無線タグなどと呼ばれる電子回路が組み込まれたタグを物品等に取り付けて、無線タグ検出器により無線タグに埋め込まれた情報を読み取り、その物品のＩＤ（Ｉｄｅｎｔｉｆｉｃａｔｉｏｎ）コード、所有者、身元などが判別できるしくみができつつある。さらに、このような無線タグ、無線タグ検出器の小型化も急速に進んでいる。一方、携帯電話など移動体通信装置の分野においては、自己の位置を計測するＧＰＳ（Ｇｌｏｂａｌ  Ｐｏｓｉｔｉｏｎｉｎｇ  Ｓｙｓｔｅｍ）が組み込まれた携帯電話なども実用化され、ＧＰＳのような測位機能が携帯電話等に標準で装備されるであろうと考えられる。
【０００３】
このような技術動向を踏まえ、無線タグを取り付けた物品を忘れたり、あるいは盗難に遭ったとき、複数の移動体通信装置を利用して上記物品を探索し、発見に寄与するようなシステムが提案されている（例えば、特許文献１参照）。
【０００４】
図１３は、従来の盗難品探索システムの構成図である。図１３に示す従来の盗難品探索システムは、盗難品を探索する場合、複数の携帯端末に探索を依頼し、盗難品の位置を特定するようなシステムである。図１３において、物品１０は盗難品であり、この物品１０には無線タグ１１が貼り付けてある。まず、物品１０の所有者は、無線タグ１１の内容を位置管理サーバ４０に登録にしておく。この位置管理サーバ４０は、以下で述べる探索依頼ができる通信機能を備えている。位置管理サーバ４０は、探索依頼手段４５を備えており、探索依頼人Ｐ、すなわち物品１０の所有者より探索依頼の要望があったとき、１次探索依頼として、探索依頼手段４５を起動する。探索依頼手段４５は、２次探索依頼として、携帯端末７０ａ、７０ｂ…に、上記登録された内容の探索を依頼する。この依頼を受けた携帯端末７０ａ、７０ｂ…は、チェックスイッチ７３ａ、７３ｂ…により、チェック手段７１ａ、７１ｂ…を起動し、無線タグ１１と通信を行なうため、所定の周期でチェック信号を出力する。一方、携帯端末７０ａ、７０ｂ…は測位手段７２ａ、７２ｂ…も備えている。携帯端末７０ａ、７０ｂ…が、登録された情報と同じ情報を持つ無線タグ１１からその情報を検出したとき、チェック手段７１ａ、７１ｂ…は、位置管理サーバ４０に対して、測位手段７２ａ、７２ｂ…より得られる物品１０の位置を転送する。図１３では、携帯端末７０ａが物品１０を発見した場合を示している。このように、盗難品である物品１０を比較的簡単に発見することができる。
【０００５】
【特許文献１】
特開２００２−４６８２１号公報
【０００６】
【発明が解決しようとする課題】
しかしながら、従来の盗難品探索システムは、盗難品のみでなく忘れ物等にも適用可能であるが、単に無線タグの内容のみを移動体通信装置としての携帯端末に通知するのみであったため、携帯端末を所有する探索者は、例えば、忘れ物等を探索する場合でも、忘れた場所などによる絞り込みができず、忘れ物であっても盗難品と同様に探索が難しく、発見される確率も低下するという課題を有していた。
【０００７】
本発明は、以上のような課題を解決するためになされたもので、忘れ物等の遺失物を探索するとき効率よく探索でき、発見される確率を向上させた遺失物探索システムを提供することを目的とする。
【０００８】
【課題を解決するための手段】
上記課題を解決するため、本発明の遺失物探索システムは、タグ識別情報を含む無線タグ情報を記憶するとともに、読み出し信号に応じて、無線タグ情報を含む応答信号を送信する無線タグと、無線タグが存在する位置の探索を依頼する端末装置と、端末装置からの探索依頼を受け付け、受け付けた探索依頼に関する情報を依頼探索情報として登録し、登録した依頼探索情報に基づき、遺失物に関する情報として遺失物情報を発行する遺失物管理サーバ装置と、無線タグからの無線タグ情報を含む応答信号を受信する機能、および自己の位置を測位する機能を有し、遺失物情報に基づき、依頼された無線タグが存在する位置の探索を行なう複数の移動体通信装置とを備え、移動体通信装置は、依頼された無線タグの存在を検知したとき、遺失物管理サーバ装置に対して、少なくとも依頼された無線タグの存在を検知した位置の情報である検知位置情報を通知し、遺失物管理サーバ装置は、端末装置に対して、検知位置情報を通知する遺失物探索システムである。さらに、遺失物管理サーバ装置は、依頼探索情報として、探索依頼された無線タグの持つ無線タグ情報と探索依頼された領域を示す依頼探索エリア情報とを少なくとも登録し、登録した依頼探索情報に基づく遺失物情報を、登録された依頼探索エリア情報に基づいて発行する構成である。
【０００９】
このような構成により、移動体通信装置を所持した探索者は、忘れ物等の遺失物を探索するとき、探索依頼者からの依頼探索エリア情報に対応した範囲を探索できるため、探索範囲の絞り込みなどにより効率よく探索ができ、その結果、無線タグを取り付けた遺失物の発見される確率を向上させることができる。
【００１０】
また、本発明の遺失物探索システムは、上記無線タグ情報が、少なくとも、無線タグ個々を識別するためのタグ識別情報と、無線タグを所有する所有者を識別するための個人識別情報と、無線タグを発行し管理する管理者を識別するための管理センタ識別情報と、無線タグの利用状況を示す利用フラグとにより構成される。さらに、上記無線タグは、無線タグを取り付けた物品がその物品の利用者により利用されたことを認識し、利用されたことを認識したとき、利用フラグをセット状態にする利用認識手段と、利用フラグがセット状態になったときから、所定の経過時間を計測し、所定の経過時間を経過したとき、利用フラグをリセット状態にするタイマ手段とを備えた構成である。
【００１１】
このような構成により、移動体通信装置は、無線タグの利用フラグの状態を検出し、利用フラグがセット状態のときは、無線タグを取り付けた物品が利用者により利用中、すなわち遺失物ではないであろうと判断できる。よって、移動体通信装置は、無線タグの利用フラグを参照することにより、利用フラグがセット状態の無線タグを無視し、利用フラグがリセット状態の無線タグを対象に探索すればよいため、効率よく遺失物を探索でき、その結果、無線タグを取り付けた遺失物の発見される確率を向上させることができる。
【００１２】
【発明の実施の形態】
以下、本発明の実施の形態について図面を用いて説明する。
【００１３】
（実施の形態１）
図１は、本実施の形態１における遺失物探索システムの全体の構成図である。
【００１４】
図１では、ある物品を所有する所有者Ｐが、エリアＡで示す地域において、その物品１２を紛失した場合を示している。また、この物品１２には、あらかじめタグＩＤ（Ｉｄｅｎｔｉｆｉｃａｔｉｏｎ）が記録された無線タグ１１Ｐを取り付けてある。このような状況を想定し、まず、物品１２の探索を可能とした本実施の形態１における遺失物探索システムの全体構成の概要について説明する。なお、タグＩＤは、無線タグ個々を識別するための番号等で示されるタグ識別情報である。また、無線タグは、タグＩＤを含む無線タグ情報を記憶するとともに、無線を利用した読み出し信号に応じて、無線タグ情報を含む応答信号を、無線を利用して送信する。無線タグ情報は、タグＩＤに加えて、この無線タグを所有する所有者を識別するための個人識別情報（以下、適宜、個人ＩＤと呼ぶ）や、この無線タグを発行し管理する管理者を識別するための管理センタ識別情報（以下、適宜、管理センタＩＤと呼ぶ）などをさらに含む。
【００１５】
図１において、端末装置２０は、後述する遺失物管理サーバ装置３０に対して、タグＩＤの取得要求や、物品等を紛失した場合に、その物品に取り付けた無線タグが存在する位置の探索を依頼する探索依頼、などを行なう端末装置である。端末装置２０は、インターネットなどのネットワークを介して、遺失物管理サーバ装置３０に接続され、両者間での情報通信が可能である。端末装置２０は、遺失物管理サーバ装置３０と専用に接続された端末装置でもよく、また、遺失物管理サーバ装置３０に対して、例えば、それぞれ個人が所有する複数の端末装置２０から接続可能なように構成された端末装置であってもよい。
【００１６】
端末装置２０において、書込手段２２は、無線タグ１１に対して、遺失物管理サーバ装置３０から付与されたタグＩＤを含む無線タグ情報を書き込む手段である。書込手段２２は、遺失物管理サーバ装置３０に対して、管理したい無線タグ１１の数だけタグＩＤを要求する。この要求に対して、遺失物管理サーバ装置３０は、各々の無線タグ１１を識別するために割り振るタグＩＤを、端末装置２０に通知する。書込手段２２は、通知された各々のタグＩＤを管理するとともに、無線タグ１１を利用するとき、管理するタグＩＤから１つを選択し、その無線タグ１１に選択したタグＩＤを含む無線タグ情報を書き込む。また、登録手段２１は、書込手段２２で書き込んだタグＩＤを含む無線タグ情報を読み取り、端末装置２０に登録する手段である。登録手段２１により、物品とその物品に取り付けた無線タグ１１のタグＩＤを関連づけて端末装置２０に登録、記憶しておくことで、例えば物品を紛失したときなど、端末装置２０に登録したタグＩＤを用いて即座に探索依頼を行なうことができる。
【００１７】
また、端末装置２０において、依頼手段２３は、無線タグ１１を取り付けた物品を例えば紛失したとき、その無線タグ１１を含めて紛失した物品が存在する位置の探索を遺失物管理サーバ装置３０に依頼する手段である。依頼手段２３は、紛失した物品に取り付けたタグＩＤを含む無線タグ情報、およびその物品の紛失推定場所に関する情報としての依頼探索エリア情報を遺失物管理サーバ装置３０に登録し、その物品の探索依頼を行なう。
【００１８】
遺失物管理サーバ装置３０は、例えば、無線タグ１１、さらにはそのタグＩＤを発行するとともに、発行した無線タグ１１の紛失などをも管理する管理センタが所有するサーバ装置である。遺失物管理サーバ装置３０は、端末装置２０からの探索依頼を受け付け、受け付けた探索依頼に関する情報を依頼探索情報として登録し、登録した依頼探索情報に基づき、遺失物に関する情報としての遺失物情報を、後述する携帯端末装置５０に対して発行する。また、遺失物管理サーバ装置３０は、携帯端末装置５０から探索結果を受け取り、その探索結果を探索依頼した端末装置２０に対して通知する。
【００１９】
遺失物管理サーバ装置３０において、探索依頼受付手段３１は、端末装置２０からの遺失物の探索依頼に対して、その探索依頼を受け付ける。また、探索依頼受付手段３１は、端末装置２０からのタグＩＤの取得要求などをもさらに受け付ける受付手段であってもよい。特に、探索依頼受付手段３１は、遺失物の探索依頼を受け付ける場合、遺失物に取り付けられた無線タグ１１のタグＩＤを含む無線タグ情報に加えて、その遺失物の紛失推定場所や地区など、依頼者が探索依頼しようとする場所に関する情報を依頼探索エリア情報（以下、適宜、依頼エリア情報と呼ぶ）として受け付ける。さらに、探索依頼受付手段３１は、これら探索依頼に関する情報を、受け付け毎に依頼探索情報として依頼探索情報データベース（以下、適宜、依頼探索情報ＤＢと呼ぶ）３２に登録する。依頼探索情報ＤＢ３２は、探索依頼受付手段３１から登録される依頼探索情報の無線タグ情報と依頼エリア情報とを関連づけて記憶する。依頼エリア情報としては、例えば、その遺失物の紛失推定場所として、ある位置を中心とした半径長で示されるような領域、あるいは範囲を示すような情報として登録される。依頼エリア情報のより具体的な例としては、例えば、「名古屋駅構内、および名古屋駅周辺の半径５キロメートル以内」のような情報でよい。
【００２０】
また、遺失物管理サーバ装置３０は、依頼探索情報ＤＢ３２に登録した依頼探索情報に基づき、遺失物に関する情報としての遺失物情報を、後述する携帯端末装置５０に対して発行する。さらに、遺失物管理サーバ装置３０は、この遺失物情報を、登録した依頼エリア情報に基づいて発行することを特徴とする。
【００２１】
このような特徴を有した機能を実現するため、まず、図１に示す遺失物通知手段３３は、携帯端末装置５０から通信部３９を介して、携帯端末装置５０の所持者が探索を希望する旨の探索希望要求とともに探索を希望する領域を示した希望探索エリア情報（以下、適宜、希望エリア情報と呼ぶ）を受け付ける。なお、通信部３９は、遺失物管理サーバ装置３０と後述する携帯端末装置５０との間で通信するための通信手段である。また、図１に示すエリア選択手段３５は、携帯端末装置５０からの希望エリア情報と依頼探索情報ＤＢ３２からの依頼エリア情報とを受け取る。さらに、エリア選択手段３５は、受け取った希望エリア情報と依頼エリア情報とが示す領域が全部または一部で合致するエリア指定された依頼探索情報を、依頼探索情報ＤＢ３２から抽出する。さらに、遺失物通知手段３３は、エリア選択手段３５により抽出されたエリア指定の依頼探索情報に基づき、遺失物情報を生成する。通信部３９は、この生成した遺失物情報を受け取り、探索希望要求した携帯端末装置に対し、この遺失物情報、すなわちエリア指定された依頼探索情報を通知する。
【００２２】
さらに、遺失物管理サーバ装置３０は、携帯端末装置５０から、物品、あるいは無線タグ１１を発見したとの発見報告を受け付け、端末装置２０に通知することで、その物品の所有者に物品の発見場所を知らせる。すなわち、携帯端末装置５０は、依頼された無線タグ１１の存在を検知したとき、遺失物管理サーバ装置３０に対して、少なくとも依頼された無線タグ１１の存在を検知した位置の情報である検知位置情報を通知する。さらに、遺失物管理サーバ装置３０は、探索結果通知手段３４により依頼探索情報ＤＢ３２に記憶した無線タグ情報の個人ＩＤ等を参照し、端末装置２０に対して、発見通知とともに検知位置情報を通知する。
【００２３】
携帯端末装置５０は、遺失物管理サーバ装置３０と通信可能な移動体通信装置であり、さらに、自己の位置を検知することが可能なＧＰＳ（Ｇｌｏｂａｌ  Ｐｏｓｉｔｉｏｎｉｎｇ  Ｓｙｓｔｅｍ）などの測位手段を有している。さらに、携帯端末装置５０は、無線タグ１１と通信を行なうことが可能な通信機能を有している。また、本発明の遺失物探索システムは、このような携帯端末装置５０を複数有し、移動が可能な複数の携帯端末装置５０により、遺失物の探索を行なうシステムである。携帯端末装置５０は、無線タグ１１との通信、すなわち無線タグ１１からの無線タグ情報を含む応答信号を受信する機能を有するため、無線タグ１１に近接することで、無線タグ１１に設定されたタグＩＤを読み取ることが可能であり、遺失物管理サーバ装置３０からの遺失物情報に基づき、依頼された無線タグ１１が存在する位置の探索ができる。さらに、携帯端末装置５０は、無線タグ１１からの応答信号に含まれるタグＩＤを読み取ることで、依頼された無線タグ１１が存在することを検知することができる。また、携帯端末装置５０は、依頼された無線タグ１１の存在とともに、測位手段により、依頼された無線タグ１１が存在する位置の情報である検知位置情報を、遺失物管理サーバ装置３０に対して通知できる。なお、携帯端末装置５０は測位手段を有しているため、上述した希望エリア情報として測位手段で測位した位置を遺失物管理サーバ装置３０に通知し、遺失物管理サーバ装置３０が通知された位置を中心に所定の半径を定めて希望エリア情報としてもよい。
【００２４】
以上のような本発明の遺失物探索システムの構成により、例えば、所有者Ｐが所有する物品１２をエリアＡにおいて紛失しても、端末装置２０から遺失物管理サーバ装置３０に依頼することで、エリアＡに位置する複数の携帯端末装置５０により無線タグ１１を利用して探索できる。さらに、物品１２に取り付けられた無線タグ１１Ｐが存在する位置、あるいは近辺の位置を検知した携帯端末装置５０から、遺失物管理サーバ装置３０を経由しての検知位置情報の通知により、所有者Ｐは、紛失した物品１２の位置、あるいは近辺の位置を知ることができる。
【００２５】
図２は、端末装置２０の詳細を示すブロック図である。上述したように、端末装置２０は、書込手段２２、登録手段２１、および依頼手段２３を有している。さらに、図２に示すように、端末装置２０は、端末装置２０全体を制御する制御部２００、利用者と端末装置２０とのユーザインタフェースとして、利用者からの指示を受け付ける入力部２０２、および利用者に対して情報を表示する表示部２０１を有している。
【００２６】
図２に示すように、書込手段２２は、ＩＤ要求部２２１、ＩＤ管理部２２２、およびＩＤ書込部２２３により構成される。ＩＤ要求部２２１は、遺失物管理サーバ装置３０に対して、管理したい無線タグ１１の数だけタグＩＤを要求する。また、ＩＤ要求部２２１は、遺失物管理サーバ装置３０から割り振られたタグＩＤを受け付ける。ＩＤ管理部２２２は、ＩＤ要求部２２１で受け付けたタグＩＤを管理する。ＩＤ書込部２２３は、無線タグ１１を利用するとき、ＩＤ管理部２２２で管理するタグＩＤから１つを選択し、その無線タグ１１にタグＩＤを含む無線タグ情報を書き込む。
【００２７】
また、登録手段２１は、ＩＤ登録部２１１、およびＩＤ検出部２１２により構成される。ＩＤ検出部２１２は、無線タグ１１に対して読み出し信号を送信し、その応答信号に含まれる無線タグ情報を検出する。すなわち、ＩＤ検出部２１２は、端末装置２０に登録する物品の無線タグ１１のタグＩＤを含めて無線タグ情報を検出し、そのタグＩＤ等を読み取る。ＩＤ登録部２１１は、ＩＤ検出部２１２で読み取ったタグＩＤを含む無線タグ情報を端末装置２０に登録する。
【００２８】
また、依頼手段２３は、ＩＤ・エリア送信部２３０により構成される。無線タグ１１を取り付けた物品を例えば紛失したとき、ＩＤ・エリア送信部２３０は、ＩＤ登録部２１１に登録したタグＩＤのなかで、紛失した物品に付けた無線タグ１１のタグＩＤを含む無線タグ情報と、探索を依頼したい依頼エリア情報を遺失物管理サーバ装置３０に送信する。
【００２９】
図３は、無線タグ１１の詳細を示すブロック図である。図３に示すように、無線タグ１１は、タグＩＤを含む無線タグ情報を記憶するＩＤ記憶部１１１、外部からの信号に対し応答し、情報の送受信を行なうＩＤ送受信部１１２、および無線タグ１１全体を制御する制御部１１０により構成される。ＩＤ送受信部１１２は、端末装置２０のＩＤ書込部２２３からの書き込み信号を受信し、端末装置２０のＩＤ検出部２１２からの読み出し信号に対してはそれに応じた情報を出力する。無線タグ１１は、ＩＤ送受信部１１２から書き込み信号を受信すると、制御部１１０の制御により、書き込み信号とともに送信された無線タグ情報をＩＤ記憶部１１１に記録する。このようにして、端末装置２０から無線タグ１１へのタグＩＤを含む無線タグ情報の書き込みが行なわれる。また、無線タグ１１は、ＩＤ送受信部１１２により読み出し信号を受信すると、制御部１１０の制御により、ＩＤ記憶部１１１に記録された無線タグ情報を含む応答信号を送信する。
【００３０】
図４は、遺失物管理サーバ装置３０から割り振られた無線タグ情報の構成例を示した図である。図４では、無線タグ情報が、管理センタＩＤ、個人ＩＤ、およびタグＩＤにより構成された一例を示している。管理センタＩＤは、遺失物管理サーバ装置３０を所有し、タグＩＤを発行し、さらに遺失物に関する管理も行なう遺失物管理センタのＩＤ、個人ＩＤは各個人を区分し判別するためのＩＤ、またタグＩＤは管理センタから各々の無線タグ１１に割り振られ、発行されたその無線タグ１１固有のＩＤである。
【００３１】
図５は、携帯端末装置５０の詳細を示すブロック図である。図５において、ＩＤ要求部５０１は、遺失物管理サーバ装置３０に対して、希望探索エリア情報とともに探索を希望する旨の探索希望要求する。また、ＩＤ要求部５０１は、探索希望要求に対し遺失物管理サーバ装置３０からの遺失物情報を取得する。ＩＤ管理部５０４は、ＩＤ要求部５０１で取得した遺失物情報に含まれるタグＩＤ等の一覧を管理する。ＩＤ検出部５０５は、無線タグ１１と通信を行なうことが可能な通信機能を有しており、無線タグ１１からの無線タグ情報を含む応答信号を受信することでタグＩＤを検出する。ＩＤ検索部５０３は、検出したタグＩＤでＩＤ管理部５０４のＩＤ一覧を検索する。測位部５０７は、測位手段であり、例えばＧＰＳにより携帯端末装置５０の現在位置情報を検出する。通報部５０６は、ＩＤ検索部５０３の検索の結果、該当するタグＩＤがある場合、位置情報とともに、そのタグＩＤを遺失物管理サーバ装置３０に通報する。また、通信部５０８は、遺失物管理サーバ装置３０と通信を行なう。制御部５００は、携帯端末装置５０の各部の制御を行なう。なお、携帯端末装置５０において、さらに、希望探索エリア情報と測位部５０７による現在位置情報とを利用し、例えば、携帯端末装置５０が希望探索エリア情報によるエリアから外れた場合、ＩＤ検出部５０５による無線タグ１１の探索を停止、あるいは携帯端末装置５０の所持者に対してエリアから外れた旨を通知する機能を設けてもよい。
【００３２】
以下、図１から図５までを参照し、以上のように構成された本発明の実施の形態１における遺失物探索システムにより、遺失物を発見するための、各装置における動作について説明する。
【００３３】
まず、物品１２を所有する所有者Ｐは、端末装置２０の書込手段２２により、遺失物管理サーバ装置３０から割り振られたタグＩＤを含む無線タグ情報を取得する。また、所有者Ｐは、割り振られたタグＩＤの１つを選択し、書込手段２２により、選択したタグＩＤを含む無線タグ情報を無線タグ１１に書き込む。これにより、無線タグ１１は、図４に示したようなタグＩＤを無線タグ情報として記憶する。さらに、所有者Ｐは、このようなタグＩＤが書き込まれた無線タグ１１を物品１２に貼り付けるなどしておく。また、所有者Ｐは、タグＩＤを書き込んだ後、端末装置２０の登録手段２１により、書き込んだ無線タグ情報をＩＤ検出部２１２から読み取り、ＩＤ登録部２１１に登録する。所有者Ｐは、物品１２の紛失等に備えて以上のような準備をしておく。
【００３４】
次に、所有者Ｐが物品１２をエリアＡの地域で紛失した場合について説明する。所有者Ｐは、物品１２を紛失したため、端末装置２０の依頼手段２３により、紛失した物品１２に関する情報を遺失物管理サーバ装置３０の探索依頼受付手段３１に報告し、物品１２の探索を依頼する。このとき、所有者Ｐは、少なくとも、物品１２に付けていた無線タグ１１のタグＩＤ、および紛失した場所に関する情報、すなわち依頼エリア情報を遺失物管理サーバ装置３０に報告する。これにより、依頼探索情報ＤＢ３２には、所有者Ｐの探索依頼とともに、依頼する無線タグ１１のタグＩＤを含む無線タグ情報、および紛失した場所に関する情報、すなわち図１の例ではエリアＡを示す依頼エリア情報が登録される。なお、場所に関する情報としては、ＧＰＳのトラッキング機能を用いて、紛失した時間帯に所有者Ｐが移動した軌跡情報を通知してもよい。依頼探索情報ＤＢ３２に登録される依頼エリア情報のより具体的な例としては、例えば、「名古屋駅構内」、「名古屋駅周辺、半径２キロメートル以内」、「名古屋城周辺」などのような情報である。このような、各依頼者からの紛失したと思われる場所の情報が無線タグ情報とともに依頼探索情報ＤＢ３２に登録され、各依頼に伴なって順次記憶されていく。
【００３５】
一方、エリアＡ、エリアＢ、エリアＣの領域に位置する携帯端末装置５０からは、その領域に対応した希望エリア情報を含む探索希望要求が、遺失物管理サーバ装置３０に対して通知される。例えば、エリアＡの探索者Ｓが所持する携帯端末装置５０からは、エリアＡを示す希望エリア情報が、遺失物管理サーバ装置３０の遺失物通知手段３３、およびエリア選択手段３５に通知される。希望エリア情報としては、探索者Ｓが現在いる位置情報、および自分が探索してみようとする範囲の半径などの情報である。希望エリア情報のより具体的な例としては、例えば、「名古屋駅周辺、半径２キロメートル以内」の遺失物探索を希望、というような情報である。
【００３６】
遺失物管理サーバ装置３０のエリア選択手段３５は、携帯端末装置５０からの探索希望要求、およびエリアＡを示す希望エリア情報に基づき、依頼探索情報ＤＢ３２から、依頼エリア情報が示す領域がエリアＡである依頼探索情報を順次抽出する。これにより、エリア選択手段３５からは、エリアＡでエリア指定された依頼探索情報のみが選択、抽出される。遺失物通知手段３３は、エリアＡでエリア指定された依頼探索情報を遺失物情報として、エリアＡ内から探索希望した携帯端末装置５０に対して発行する。探索者Ｓは、発行された遺失物情報として、例えば遺失物ＩＤ一覧表を取得し、携帯端末装置５０のＩＤ管理部５０４により記憶、管理する。これにより、遺失物を探索する準備が完了する。
【００３７】
エリア選択手段３５の動作について、より具体的な一例を挙げる。例えば、依頼探索情報ＤＢ３２には、依頼１「名古屋駅構内」、依頼２「名古屋駅周辺、半径２キロメートル以内」、依頼３「名古屋城周辺」という依頼エリア情報が登録されており、探索者Ｓから希望エリア情報として「名古屋駅周辺、半径２キロメートル以内」の探索希望要求があったときを用いて説明する。このとき、エリア選択手段３５は、希望エリア情報と依頼エリア情報とが示す領域が全部で合致する「名古屋駅周辺、半径２キロメートル以内」と、希望エリア情報と依頼エリア情報とが示す領域が一部で合致する「名古屋駅構内」とを抽出し、希望エリア情報と依頼エリア情報とが示す領域が合致しない「名古屋城周辺」は抽出しない。よって、このとき探索者Ｓの携帯端末装置５０には、遺失物情報として、依頼１、および依頼２に関するタグＩＤが少なくとも通知される。さらに、探索者Ｓが携帯端末装置５０を所持しながら、「名古屋駅構内や周辺」を移動することにより、通知された遺失物の探索が行なわれることとなる。
【００３８】
携帯端末装置５０は、探索者Ｓの移動に伴なって、周辺に無線タグ１１がある場合には、ＩＤ検出部５０５によりタグＩＤを自動取得する。また、ＩＤ検索部５０３は、ＩＤ検出部５０５により取得したタグＩＤを基に、ＩＤ管理部５０４に記憶した遺失物ＩＤ一覧表から同一のタグＩＤを検索する。探索者Ｓが、所有者Ｐの物品１２の近くを通りかかると、携帯端末装置５０は、ＩＤ検出部５０５により無線タグ１１ＰのタグＩＤを自動取得し、ＩＤ検索部５０３により遺失物ＩＤ一覧表から同一のタグＩＤを検索する。このとき、所有者Ｐの物品１２に付けた無線タグ１１ＰのタグＩＤは、遺失物ＩＤ一覧情報に含まれているため、ＩＤ検索部５０３は、遺失物発見を通報部５０６、および測位部５０７に通知する。測位部５０７は、発見場所付近の位置情報を獲得し、検知位置情報として通報部５０６に通知する。通報部５０６は、発見したタグＩＤ、および検知位置情報とともに遺失物発見の事実を遺失物管理サーバ装置３０に通知する。
【００３９】
遺失物管理サーバ装置３０は、この通知を受け付け、探索結果通知手段３４から、検知位置情報を含む発見した旨の報告を、発見通知として所有者Ｐの端末装置２０に通知する。所有者Ｐは、発見場所付近の位置情報である検知位置情報に基づき、例えば、表示部２０１に検知位置情報を表示することで紛失した位置を特定することができる。発見通知の具体的な一例として、例えば、所有者Ｐの端末装置２０の表示部２０１に発見場所近辺の地図「名古屋駅構内」を表示し、矢印等でより詳細な場所を指し示すようにすればよい。
【００４０】
以上説明したように、本発明の遺失物探索システムによれば、例えばエリアＡの領域での探索を希望した携帯端末装置５０は、エリアＡに関する依頼探索情報に基づく遺失物情報を利用して探索できるため、探索範囲を絞り込め、例えば、エリアＡで紛失した物品１２をより発見しやすくなる。
【００４１】
なお、以上の説明では、携帯端末装置５０から遺失物管理サーバ装置３０に対して探索の希望要求を行なう例を挙げて説明したが、遺失物管理サーバ装置３０から携帯端末装置５０に対して探索の希望要求を行なうような構成も可能である。
【００４２】
図６は、遺失物管理サーバ装置３０から携帯端末装置５０に対して探索希望要求を行なう構成例を示した図である。図１と比較して、図６の構成では、遺失物管理サーバ装置３０が、エリア選択手段３５を備えず、また遺失物通知手段３３に代えて遺失物探索依頼手段３６を備えた構成である。すなわち、図６に示す遺失物管理サーバ装置３０は、遺失物探索依頼手段３６により、複数の携帯端末装置５０に対して、探索の依頼を行なう探索依頼要求とともに、依頼探索情報ＤＢ３２に記憶した依頼探索情報に基づく遺失物情報を発行する。このとき、遺失物探索依頼手段３６は、少なくとも無線タグ情報と依頼エリア情報とを含む遺失物情報を複数の携帯端末装置５０に対して発行する。一方、携帯端末装置５０は、無線タグ情報と依頼エリア情報とを含む遺失物情報を受け取るとともに、測位手段により測位した自己の位置に基づき、依頼エリア情報を参照して、遺失物情報を選択的に受け取る。このような構成による遺失物探索システムであっても、探索者は、依頼エリア情報に対応した範囲を探索できるため、探索範囲の絞り込みができ、効率よく探索ができることで、遺失物の発見される確率が向上する。
【００４３】
また、図６で説明した構成例とも異なる他の構成例も可能である。図６で説明した構成の遺失物探索システムに代えて、次のような機能を有する遺失物管理サーバ装置３０、および携帯端末装置５０としてもよい。すなわち、遺失物管理サーバ装置３０は、複数の携帯端末装置５０に対して探索依頼要求とともに、携帯端末装置５０から測位した位置情報を受け取る。また、遺失物管理サーバ装置３０は、依頼探索情報ＤＢ３２から、受け取った位置情報の示す位置が依頼エリア情報の示す領域に含まれる依頼探索情報を抽出する。さらに、遺失物管理サーバ装置３０は、抽出した依頼探索情報に基づいて遺失物情報を生成し、生成した遺失物情報を発行する。このような構成の遺失物探索システムであっても、探索者は、依頼エリア情報に対応した範囲を探索できるため、探索範囲の絞り込みができ、効率よく探索できることで、遺失物の発見される確率が向上する。
【００４４】
（実施の形態２）
図７は、本実施の形態２における遺失物探索システムの全体の構成図である。図７で示す実施の形態２における遺失物探索システムの構成は、実施の形態１との比較において、無線タグ１９、端末装置２９、および携帯端末装置５９が異なっている。なお、以下で説明する図面において、実施の形態１と同一の構成要素については同一の符号を付しており、これらの説明は省略する。
【００４５】
本実施の形態２の遺失物探索システムでは、無線タグ１９が、無線タグ情報としてのタグＩＤ、個人ＩＤ、および管理センタＩＤを記憶するＩＤ記憶部１１１に加えて、さらに無線タグ１９の利用状況を示す利用フラグ１９０を有する。本実施の形態２の遺失物探索システムは、このような利用フラグ１９０を有した無線タグ１９を備えたシステムであることを特徴とする。また、端末装置２９は、書込手段２２、登録手段２１、および依頼手段２３に加えて、無線タグ１９に設けた利用フラグ１９０の設定が可能な利用フラグ設定手段２９０をさらに有している。また、携帯端末装置５９は、無線タグ１９に設けられた利用フラグの設定状況をも利用して遺失物の探索を行なう。
【００４６】
図８は、本実施の形態２における遺失物探索システムにおいて利用される無線タグ１９の詳細を示すブロック図である。図８に示すように、無線タグ１９は、図３で示した無線タグ１１と同様のＩＤ記憶部１１１、ＩＤ送受信部１１２、および制御部１１０に加えて、利用者の利用状況を示す利用フラグ１９０、利用フラグ１９０の設定を行なう利用フラグ設定部１９１、および時間を計測するタイマ部１９２により構成される。また、本実施の形態２では、ＩＤ送受信部１１２は、タグＩＤや個人ＩＤなどの送受信に加えて、利用フラグ１９０を設定する信号の受信や利用フラグ１９０の設定状態を示す情報の送信なども行なう。
【００４７】
利用フラグ１９０は、利用者が無線タグ１９を取り付けた物品を利用していることを示すために設けたフラグである。ここでは、利用フラグ１９０がセット状態のとき物品が利用されていることを示し、利用フラグ１９０がリセット状態のとき物品が利用されていないことを示す、として説明する。無線タグ１９は、ＩＤ送受信部１１２から利用フラグ１９０をセット状態に設定する利用フラグ設定信号を受信すると、利用フラグ設定部１９１により、利用フラグ１９０をセット状態に設定する。このように、無線タグ１９は、外部から利用フラグ１９０をセット状態に設定されることで、利用者により無線タグ１９を取り付けた物品が利用されていると認識する。すなわち、利用フラグ設定部１９１は、利用者により利用されたことを認識し、利用フラグ１９０をセット状態にする利用認識手段として機能する。
【００４８】
タイマ部１９２は、利用フラグ１９０がセット状態になったときから、所定の経過時間を計測し、所定の経過時間を経過したとき、利用フラグ１９０をリセット状態にするタイマ手段として機能する。すなわち、利用フラグ１９０は、所定の経過時間だけ経過しても利用フラグ設定部１９１によりセット状態に設定されない場合は、タイマ部１９２によりリセット状態に設定される。
【００４９】
以上のような利用フラグ設定部１９１、およびタイマ部１９２の機能により、利用フラグ１９０がセット状態のときは、無線タグ１９を取り付けた物品が利用されている、また利用フラグ１９０がリセット状態のときは、無線タグ１９を取り付けた物品が利用されていない、との判断に利用できる。さらに、無線タグ１９を取り付けた物品が利用されているときは、利用者がこの物品を所持し、無線タグ１９を取り付けた物品が利用されていないときは、利用者がこの物品を所持していない、との判断が可能であるため、利用フラグ１９０の状態を検出することにより、この物品が遺失物であるかどうかの判断に利用することができる。
【００５０】
図９は、無線タグ１９に設定される無線タグ情報の構成例を示した図である。図９で示す無線タグ情報は、管理センタＩＤ、個人ＩＤ、およびタグＩＤに加えて、上述の利用フラグ１９０の状態情報も有している。
【００５１】
図１０は、端末装置２９の詳細を示すブロック図である。図１０に示すように、本実施の形態２の端末装置２９は、図２で示した端末装置２０との比較において、利用フラグ設定手段２９０としての利用フラグ書込部２９１をさらに有している。利用フラグ書込部２９１は、入力部２０２から入力される利用者の指示に基づき、無線タグ１９に対して利用フラグ１９０を設定する利用フラグ設定信号を送信する。これにより、利用者は、端末装置２９を利用して、無線タグ１９の利用フラグ１９０をセット状態、あるいはリセット状態に設定できる。利用者は、端末装置２９のこのような機能を利用して、無線タグ１９を取り付けた物品を利用するとき、無線タグ１９の利用フラグ１９０をセット状態にする。
【００５２】
図１１は、携帯端末装置５９の詳細を示すブロック図である。図１１に示すように、本実施の形態２の携帯端末装置５９は、図５で示した携帯端末装置５０との比較において、利用フラグ検出部５０９をさらに有している。利用フラグ検出部５０９は、無線タグ１９と通信を行なうことが可能であり、読み出し信号に応じて送信される無線タグ情報を含む応答信号から利用フラグの設定状態を検出する。また、ＩＤ検索部５０３は、利用フラグ検出部５０９で検出した利用フラグがリセット状態であるとき、ＩＤ検出部５０５で検出したタグＩＤでＩＤ管理部５０４のＩＤ一覧を検索する。
【００５３】
以下、図７から図１１までを参照し、以上のように構成された本発明の実施の形態２における遺失物探索システムにより、遺失物を発見するための、各装置における動作について説明する。
【００５４】
まず、物品１２を所有する所有者Ｐは、物品１２に対し、すでに無線タグ情報を書き込んだ無線タグ１９Ｐを取り付けておく。さらに、所有者Ｐは、物品１２を利用するとき、端末装置２９の利用フラグ設定手段２９０を利用して、無線タグ１９Ｐの利用フラグ１９０をセット状態にする。所有者Ｐは、物品１２を利用するたびにこのような操作を行なう。
【００５５】
次に、所有者Ｐが物品１２をエリアＡの地域で紛失した場合について説明する。このとき、所有者Ｐは、実施の形態１と同様に、端末装置２９から遺失物管理サーバ装置３０に対して、無線タグ１９Ｐを取り付けた物品１２の探索を依頼する。遺失物管理サーバ装置３０は、実施の形態１と同様に、物品１２を紛失したエリアＡの携帯端末装置５９に対して無線タグ１９ＰのタグＩＤを含めた遺失物情報を発行する。この遺失物情報を取得した携帯端末装置５９の所持者、すなわち探索者Ｓは、遺失物情報に基づく無線タグ１９の探索を行なう。このとき、無線タグ１９の利用フラグ１９０に注目すると、探索範囲であるエリアＡにはセット状態とリセット状態の無線タグ１９が混在している。さらに、探索者Ｓが所持する携帯端末装置５９は、上述したように、利用フラグ検出部５０９で検出した利用フラグがリセット状態であるときのみ、ＩＤ検出部５０５で検出したタグＩＤでＩＤ管理部５０４のＩＤ一覧を検索する。すなわち、探索者Ｓが所持する携帯端末装置５９は、利用フラグがセット状態である無線タグ１９は無視し、利用フラグがリセット状態の無線タグ１９のみを探索することとなる。言い換えれば、携帯端末装置５９は、利用フラグ１９０がリセット状態の無線タグ１９が取り付けられている物品を遺失物として検出するため、探索者Ｓが遺失物を探索する効率を向上させることとなる。また、利用フラグがセット状態での無線タグ１９を取り付けた遺失物であっても、タイマ部１９２によりリセット状態に変わるため、時間の経過とともに探索されることとなる。
【００５６】
なお、以上説明した実施の形態２では、図８で示したように、無線タグ１９が、利用者により利用されたことを認識したとき利用フラグ１９０をセット状態にする利用フラグ設定部１９１と、利用フラグ１９０がセット状態になったときから所定の経過時間を経過したとき利用フラグ１９０をリセット状態にするタイマ部１９２とを備えた構成例を挙げて説明したが、他の構成も可能である。
【００５７】
図１２は、本実施の形態２における、他の構成による無線タグの構成例である。図１２に示す無線タグ１８は、図８で示した無線タグ１９との比較において、利用時間帯設定部１９３をさらに有したことを特徴とする。利用時間帯設定部１９３は、無線タグ１８を取り付けた物品の、例えば利用時間帯を設定する利用時間帯設定手段である。また、無線タグ１８は、ＩＤ送受信部１１２により、タグＩＤや利用フラグ設定信号などの送受信に加えて、利用時間帯を設定する信号の送信も行なう。このような機能により、無線タグ１８には、利用者からの指示に基づく時間帯情報が利用時間帯設定部１９３に設定される。また、図１２に示す無線タグ１８に設けられた利用フラグ１９０は、利用者が無線タグ１８を取り付けた物品を、利用時間帯設定部１９３に設定された時間帯に利用していることを示すために設けたフラグである。すなわち、無線タグ１８は、ＩＤ送受信部１１２から利用フラグ１９０をセット状態に設定する利用フラグ設定信号を受信すると、利用フラグ設定部１９１は、利用時間帯設定部１９３に設定された時間帯であるかどうかを判断し、利用時間帯設定部１９３に設定された時間帯であるとき、利用フラグ１９０をセット状態に設定する。このように、無線タグ１８は、外部から利用フラグ１９０をセット状態に設定されることで、利用者により無線タグ１８を取り付けた物品が、利用者によりあらかじめ設定された時間帯に利用されていると認識する。さらに、タイマ部１９２は、利用フラグ１９０がセット状態になったときから、所定の経過時間を計測し、所定の経過時間を経過したとき、利用フラグ１９０をリセット状態にするタイマ手段として機能する。無線タグ１８は、このような機能を有しているため、例えば、無線タグ１８を取り付けた物品を所有者は習慣的に利用していた時間帯にもかかわらず、その時間帯に利用されない期間が長期に及んだ場合には、利用フラグ１９０がリセット状態となる。すなわち、図７で説明した遺失物探索システムと同様に、探索者Ｓが所持する携帯端末装置５９は、利用フラグ１９０がセット状態である無線タグ１８は無視し、利用フラグ１９０がリセット状態の無線タグ１８のみを探索すればよく、探索者Ｓが遺失物を探索する効率を向上させることとなる。また、無線タグ１８は、所有者の利用習慣に基づいた動作を行なうため、無線タグ１８を取り付けた物品が盗難にあった場合でも、発見される確率を向上させることができる。
【００５８】
【発明の効果】
以上説明したように、本発明の遺失物探索システムは、不特定多数の移動体通信装置により遺失物を探索することにより、無線タグに接近した移動体通信装置が、無線タグの位置、すなわち遺失物の位置を検出することを利用している。特に、本発明の遺失物探索システムは、探索エリアが指定できるため、移動体通信装置と遺失物管理サーバ装置との通信量を低減でき、無意味な探索を避けつつ、例えば徐々にそのエリアを広げて探索するなどの手段を講じることができ、効果的な発見戦略がとれるとともに、遺失物が発見される確率を格段に向上させることが可能となる。さらに、本発明の遺失物探索システムは、利用フラグがリセット状態の無線タグを対象に探索すればよいため、効率よく遺失物を探索でき、無線タグを取り付けた遺失物の発見される確率をより向上させることができる。
【図面の簡単な説明】
【図１】本発明の実施の形態１における遺失物探索システムの全体の構成図
【図２】本発明の実施の形態１における遺失物探索システムの端末装置の詳細を示すブロック図
【図３】本発明の実施の形態１における遺失物探索システムの無線タグの詳細を示すブロック図
【図４】本発明の実施の形態１における遺失物探索システムの無線タグ情報の構成例を示す図
【図５】本発明の実施の形態１における遺失物探索システムにおける携帯端末装置の詳細を示すブロック図
【図６】本発明の実施の形態１における遺失物探索システムの他の構成による全体の構成図
【図７】本発明の実施の形態２における遺失物探索システムの全体の構成図
【図８】本発明の実施の形態２における遺失物探索システムの無線タグの詳細を示すブロック図
【図９】本発明の実施の形態２における遺失物探索システムの無線タグ情報の構成例を示す図
【図１０】本発明の実施の形態２における遺失物探索システムの端末装置の詳細を示すブロック図
【図１１】本発明の実施の形態２における遺失物探索システムの携帯端末装置の詳細を示すブロック図
【図１２】本発明の実施の形態２における遺失物探索システムの無線タグの他の構成の詳細を示すブロック図
【図１３】従来の盗難品探索システムの構成図
【符号の説明】
１０，１２  物品
１１，１１Ｐ，１８，１９，１９Ｐ  無線タグ
２０，２９  端末装置
２１  登録手段
２２  書込手段
２３  依頼手段
３０  遺失物管理サーバ装置
３１  探索依頼受付手段
３２  依頼探索情報データベース（依頼探索情報ＤＢ）
３３  遺失物通知手段
３４  探索結果通知手段
３５  エリア選択手段
３６  遺失物探索依頼手段
３９，５０８  通信部
４０  位置管理サーバ
４５  探索依頼手段
５０，５９  携帯端末装置
７０ａ，７０ｂ，７０ｃ  携帯端末
７１ａ，７１ｂ，７１ｃ  チェック手段
７２ａ，７２ｂ，７２ｃ  測位手段
７３ａ，７３ｂ，７３ｃ  チェックスイッチ
１１０，２００，５００  制御部
１１１  ＩＤ記憶部
１１２  ＩＤ送受信部
１９０  利用フラグ
１９１  利用フラグ設定部
１９２  タイマ部
１９３  利用時間帯設定部
２０１  表示部
２０２  入力部
２１１  ＩＤ登録部
２１２，５０５  ＩＤ検出部
２２１，５０１  ＩＤ要求部
２２２，５０４  ＩＤ管理部
２２３  ＩＤ書込部
２３０  ＩＤ・エリア送信部
２９０  利用フラグ設定手段
２９１  利用フラグ書込部
５０３  ＩＤ検索部
５０６  通報部
５０７  測位部
５０９  利用フラグ検出部
【図１】
2005003627.tif 000003
【図２】
2005003627.tif 000004
【図３】
2005003627.tif 000005
【図４】
2005003627.tif 000006
【図５】
2005003627.tif 000007
【図６】
2005003627.tif 000008
【図７】
2005003627.tif 000009
【図８】
2005003627.tif 000010
【図９】
2005003627.tif 000011
【図１０】
2005003627.tif 000012
【図１１】
2005003627.tif 000013
【図１２】
2005003627.tif 000014
【図１３】
2005003627.tif 000015